(57)【要約】【課題】芳香剤を装飾を排した比較的安価な容器に収容すると共に、かかる芳香剤を収容した容器をスタンドに装備することにより、家具等と質感及び色調を合わせることを容易にすることにある。【解決手段】本発明のスタンド（２）は底部（４）と底部から上方に延出する延出部（６）とを有する。底部と延出部との少なくとも一方には芳香剤を収容した芳香剤容器（２８）が装備されている。芳香剤容器は少なくとも部分的に剥離可能或いは移動可能な閉塞手段（３０）によって閉塞された開口（３２）が形成されている。閉塞手段を少なくとも部分的に剥離或いは移動せしめて開口を開放すると芳香剤が香を放散する。【選択図】        図１
2004182312.tif 000002
【特許請求の範囲】
【請求項１】
底部と該底部から上方に延出する延出部とを有し、該底部と該延出部との少なくとも一方には芳香剤を収容した芳香剤容器が装備されており、該芳香剤容器は少なくとも部分的に剥離可能或いは移動可能な閉塞手段によって閉塞された開口が形成されており、該閉塞手段を少なくとも部分的に剥離或いは移動せしめて該開口を開放すると該芳香剤が香を放散する、ことを特徴とするスタンド。
【請求項２】
該底部と該延出部とは１枚の厚紙又は合成紙から形成されている、請求項１記載のスタンド。
【請求項３】
該底部は底壁と該底壁の前縁から後方に折り曲げられて該底壁の上方に位置する上壁とを含み、該底壁は該上壁を越えて後方に延びており、該延出部は該上壁の後縁から上方に延出する前壁と該底壁の後縁から上方に延出する後壁とを含む、請求項２記載のスタンド。
【請求項４】
該芳香剤容器の主部は該底壁と該上壁との間に規定された空間に収納されており、該閉鎖手段は該底壁と該上壁との折り曲げ部に形成されたスリットを通って前方に突出する把持部を有し、該把持部を引っ張ることによって該開口が開放され得る、請求項３記載のスタンド。
【請求項５】
該後壁の後面には幅方向に間隔をおいて後方に突出する一対の支持壁が形成されている、請求項３又は４記載のスタンド。
【請求項６】
該芳香剤容器は上面又は下面に該開口が形成された合成樹脂フィルム又はシートから形成された袋から構成されており、該閉塞手段は該袋の上面又は下面に少なくとも部分的に剥離可能に装着されている、請求項１から５までのいずれかに記載のスタンド。
【発明の詳細な説明】
【０００１】
【発明の属する技術分野】
本発明は、卓上カレンダー、写真等を支持するスタンド、更に詳しくは芳香剤を収容した芳香剤容器をも装備しているスタンドに関する。
【０００２】
【従来の技術】
従来から、室内に設置する各種の芳香剤が実用に供されている。かかる芳香剤は専用の装飾容器に収容されており、装飾容器から芳香剤を含浸せしめた部材を露出せしめて香りを放散せしめている。
【０００３】
【発明が解決しようとする課題】
芳香剤は装飾容器に収容されている故に、家具等と質感及び色調を合わせることが困難であるという問題点がある。
【０００４】
また、装飾容器は比較的高価にもかかわらず、芳香剤が香りを放散せしめなくなればゴミになるという問題点がある。
【０００５】
本発明は上記事実に鑑みてなされたものであり、その主たる技術課題は芳香剤を装飾を排した比較的安価な容器に収容すると共に、かかる芳香剤を収容した容器をスタンドに装備することにより、家具等と質感及び色調を合わせることを容易にすることにある。
【０００６】
【課題を解決するための手段】
本発明によれば、上記主たる技術的課題を達成するスタンドとして、底部と該底部から上方に延出する延出部とを有し、該底部と該延出部との少なくとも一方には芳香剤を収容した芳香剤容器が装備されており、該芳香剤容器は少なくとも部分的に剥離可能或いは移動可能な閉塞手段によって閉塞された開口が形成されており、該閉塞手段を少なくとも部分的に剥離或いは移動せしめて該開口を開放すると該芳香剤が香を放散する、ことを特徴とするスタンドが提供される。
【０００７】
該底部と該延出部とは１枚の厚紙又は合成紙から形成することができる。好ましくは、該底部は底壁と該底壁の前縁から後方に折り曲げられて該底壁の上方に位置する上壁とを含み、該底壁は該上壁を越えて後方に延びており、該延出部は該上壁の後縁から上方に延出する前壁と該底壁の後縁から上方に延出する後壁とを含んでいる。該芳香剤容器の主部は該底壁と該上壁との間に規定された空間に収納されており、該閉鎖手段は該底壁と該上壁との折り曲げ部に形成されたスリットを通って前方に突出する把持部を有し、該把持部を引っ張ることによって該開口が開放することができる。該後壁の後面には幅方向に間隔をおいて後方に突出する一対の支持壁が形成されているのが好ましい。該芳香剤容器は上面又は下面に該開口が形成された合成樹脂フィルム又はシートから形成された袋から構成されており、該閉塞手段は該袋の上面又は下面に少なくとも部分的に剥離可能に装着されているのが好都合である。
【０００８】
【発明の実施の形態】
以下、添付図面を参照して、本発明の好適実施形態について更に詳細に説明する。
【０００９】
図１乃至図３を参照して説明を続けると、全体を番号２で示すスタンドは底部４と底部４から上方に延出する延出部６とを有し、底部４と延出部６との少なくとも一方には、後に詳述する、芳香剤を収容した芳香剤容器が装備されている。かかる芳香剤容器を装備している底部４と延出部６とは１枚の厚紙又は合成紙から形成することができる。図示の実施形態においては、底部４は平板形状の底壁８と底壁８の前縁から上方に折り曲げられて底壁８の上方に位置する略半円筒形状の上壁１０とを含み、底壁８は上壁１０を越えて後方に延びており、延出部６は上壁１０の後縁から上方に延出する平板形状の前壁１２と底壁８の後縁から上方に延出する平板形状の後壁１４を含む。前壁１２にはその下端部に矩形状の開口領域１６が形成されており、後壁１４の後面には幅方向に間隔をおいて後方に突出する一対の支持壁１８が形成され、かかる一対の支持壁１８の間には支持壁１８を固定する固定壁２０が形成されている。
【００１０】
図４を参照して説明を続けると、上述したように構成されたスタンド２は、図示の実施形態においては本体部材２２、補強部材２４から構成されている。かかる本体部材２２及び補助部材２４は厚紙又は合成紙を打ち抜き加工することにより形成することができる。本体部材２２及び補助部材２４上には複数本の点線が図示されているが、かかる点線の各々は一定の間隔をおいて配列された小孔、切り込み或いは薄肉溝等から構成できる折り曲げ容易な折り曲げ部２６を図示している。本体部材２２は、比較的短い上辺２２ａ  及び下辺２２ｂと、上辺２２ａ及び下辺２２ｂの間に延在する比較的長い左辺２２ｃ及び右辺２２ｄと、から構成されており、上辺２２ａには切欠２７が形成されている。図示の実施形態における本体部材２２には、その下端部を下辺２２ｂに対して略平行に延びる第一細隙２２ｅと、第一細隙２２ｅの両端から下方に延びる一対の第一補助細隙２２ｆ及び２２ｇと、第一細隙２２ｅよりも上方を下辺２２ｂに対して略平行に延びる第二細隙２２ｈと、第二細隙２２ｈの両端から上方に延びる一対の第二補助細隙２２ｉ及び２２ｊと、第二細隙２２ｈよりも上方を間隔をおいて下辺２２ｂに対して略平行に延びる一対のスリット２２ｋ及び２２ｍと、スリット２２ｋ及び２２ｍよりも上方を間隔をおいて下辺２２ｂに対して略平行に延びる一対の第三細隙２２ｎ及び２２ｏと、第三細隙２２ｎ及び２２ｏの両外側端から上方に向かって延び、上方に行くに従い互いに接近し、次いで内方に屈曲せしめられている一対の第三補助細隙２２ｐ及び２２ｑと、第三細隙２２ｎの内側端と第三補助細隙２２ｐの上端とを結ぶ直線の略中央及び第三細隙２２ｏの内側端と第三補助細隙２２ｑの上端とを結ぶ直線の略中央から上方に向かって延び、上方に行くに従い互いに離隔せしめられている一対の第四細隙２２ｒ及び２２ｓと、第四細隙２２ｒ及び２２ｓの両上端から外方に向かって延びる一対の第四補助細隙２２ｔ及び２２ｕと、第四補助細隙２２ｔ及び２２ｕの両外側端から上方に向かって延び、上方に行くに従い互いに近接せしめられている第四付加細隙２２ｖ及び２２ｗと、第四付加細隙２２ｖ及び２２ｗの両上端から上方に延び、次いで内方に漸次曲げられている一対の第四延出細隙２２ｘ及び２２ｙと、第四延出細隙２２ｘ及び２２ｙの両自由端を連結する第四連結細隙２２ｚとが形成されている。下辺２２ｂと、第二細隙２２ｈと、第二補助細隙２２ｉ及び２２ｊと、第二補助細隙２２ｉ及び２２ｊの両上端から外方に延びる一対の折り曲げ部２６と、左辺２２ｃと、右辺２２ｄとによって区画された領域は上記スタンド２において前壁１２に対応している。第二補助細隙２２ｉ及び２２ｊの上端とスリット２２ｋ及び２２ｍの下端との間に存在する折り曲げ部２６と、スリット２２ｋ及び２２ｍの下端と実質上同一位置に存在する折り曲げ部２６と、左辺２２ｃと、右辺２２ｄとによって区画された領域はスタンド２において上壁１０に対応している。スリット２２ｋ及び２２ｍの下端と実質上同一位置に存在する折り曲げ部２６と、第三細隙２２ｎ及び２２ｏとスリット２２ｋ及び２２ｍとの間に存在する折り曲げ部２６と、左辺２２ｃと、右辺２２ｄとによって区画された領域はスタンド２にお���る底壁８に対応している。第三細隙２２ｎ及び２２ｏとスリット２２ｋ及び２２ｍとの間に存在する折り曲げ部２６と、上辺２２ａ、左辺２２ｃと、右辺２２ｄとによって区画された領域はスタンド２における後壁１４、支持壁１８及び固定壁２０に対応している。補強部材２４は比較的長い上辺２４ａ及び下辺２４ｂと、上辺２４ａ及び下辺２４ｂの間に延在する比較的短い左辺２４ｃ及び右辺２４ｄと、から構成されており、補強部材２４の上辺２４ａ及び下辺２４ｂは上記本体部材２２の上辺２２ａ及び下辺２２ｂと実質上同一の長さにせしめられている。図示の実施形態における補強部材２４には下辺２４ｂに対して略平行に間隔をおいて、上記本体部材２２のスリット２２ｋ及び２２ｍに対応せしめられた一対のスリット２４ｅ及び２４ｆが形成されており、かかるスリット２４ｅ及び２４ｆの下端は図４において一対存在する折り曲げ部２６の一方と実質上同一にせしめられている。また、一対の折り曲げ部２６間は一対の折り曲げ部２６の一方、即ちスリット２４ｅ及び２４ｆの下端と実質上同一位置に存在する折り曲げ部２６と、上辺２４ａとの間より幅広くせしめられている。
【００１１】
図４乃至図５には、芳香剤を収容する芳香剤容器２８も図示されている。かかる芳香剤容器２８は少なくとも部分的に剥離可能或いは移動可能な閉塞手段３０によって閉塞された開口３２が形成されており、閉塞手段３０を少なくとも部分的に剥離或いは移動せしめて開口３２を開放すると芳香剤が香りを放散する構成にせしめられている。芳香剤容器２８は上面或いは下面に開口３２が形成された合成樹脂フィルム又はシートから形成された袋３４から構成されており、閉塞手段３０は袋３４の上面又は下面に少なくとも部分的に剥離可能に装着されているのが好適である。図示の実施形態における帯状の閉塞手段３０はその一部３６が開口３２が形成された袋３４の面に貼着されており、一部３６を除く残部３８は袋３４の一端が位置する位置から折り曲げられており、残部３８における把持部４０は袋３４の他端を越えて延びている。上述したように構成された芳香剤容器２８に収容される芳香剤は、例えばエッセンシャルオイル（天然の草、葉、木、花等から抽出されたオイル）或いはフレグランスオイル（天然の成分に加え、合成成分も含むオイル）等の芳香を有する成分をジェル状物質に混合したものである。
【００１２】
上述した本体部材２２、補強部材２４及び芳香剤を収容した芳香剤容器２８を用いて図１乃至図３に図示するスタンド２を組み立てる際には、芳香剤を収容した芳香剤容器２８の袋３４における、閉塞手段３０が貼着されていない面を補強部材２４における、スリット２４ｅ及び２４ｆより上方の領域に貼着せしめ、閉塞手段３０における把持部４０の各々を補強手段２４に形成されているスリット２４ｅ及び２４ｆに通す。次いでスリット２４ｅ及び２４ｆの下端と実質上同一位置にある折り曲げ部２６を折り曲げ、もう一方の折り曲げ部２６を折り曲げて、これより下方の領域を上辺２４ａの近傍に貼着せしめる。かくすると、補強部材２４おける、一対の折り曲げ部２６間はスリット２４ｅ及び２４ｆの下端と実質上同一位置に存在する折り曲げ部２６と上辺２４ａとの間より幅広にせしめられている故に、補強部材２４おける、一対の折り曲げ部２６間の領域は曲げられて略半円筒形状にせしめられる。しかる後においては、上述されたように構成された補強手段２４のスリット２４ｅ及び２４ｆを通って突出する、閉塞手段３０の把持部４０を本体部材２２におけるスリット２２ｋ及び２２ｍに通す。次いで、補強部材２４における、芳香剤容器２８が貼着された面の裏面をスタンド２における底壁８の内面、即ちスリット２２ｋ及び２２ｍの下端と実質上同一位置に存在する折り曲げ部２６と、第三細隙２２ｎ及び２２ｏとスリット２２ｋ及び２２ｍとの間に存在する折り曲げ部２６と、左辺２２ｃと、右辺２２ｄとによって区画された領域に貼着せしめる。そして、第二細隙２２ｈと、第二補助細隙２２ｉ及び２２ｊと、第二補助細隙２２ｉ及び２２ｊの両上端から外方に延びる一対の折り曲げ部２６と、スリット２２ｋ及び２２ｍの下端と第二補助細隙２２ｉ及び２２ｊの上端との間に存在する折り曲げ部２６と、左辺２２ｃと、右辺２２ｄとによって区画された領域をスタンド２における底壁８の内面、即ちスリット２２ｋ及び２２ｍの下端と実質上同一位置に存在する折り曲げ部２６と、第三細隙２２ｎ及び２２ｏとスリット２２ｋ及び２２ｍとの間に存在する折り曲げ部２６と、左辺２２ｃと、右辺２２ｄとによって区画された領域に貼着せしめる。かくすると、芳香剤容器２８を貼着せしめた補強部材２４おける、一対の折り曲げ部２６間の領域は曲げられて略半円筒形状にせしめられているが故に、第二補助細隙２２ｉ及び２２ｊの上端とスリット２２ｋ及び２２ｍの下端との間に存在する折り曲げ部２６と、スリット２２ｋ及び２２ｍの下端と実質上同一位置に存在する折り曲げ部２６と、左辺２２ｃと、右辺２２ｄとによって区画された領域は曲げられて略半円筒形状にせしめられる。しかる後において、第三細隙２２ｎ及び２２ｏとスリット２２ｋ及び２２ｍとの間に存在する折り曲げ部２６を折り曲げて、上辺２２ａに形成されている切欠２７を第一細隙２２ｅ及び第一補助細隙２２ｆ及び２２ｇの間に挿入せしめると、図１乃至図３に図示するとおり前壁１２の上端部と後壁１４の上端部との係合が形成せしめられる。そして、第三細隙２２ｎ及び２２ｏの両内側端と第三補助細隙２２ｐ及び２２ｑの両上端とを結ぶ直線と実質上同一位置に存在する折り曲げ部２６を折り曲げ、第四補助細隙２２ｔ及び２２ｕと実質上同一位置に存在する折り曲げ部２６を折り曲げると、一対の支持壁１８が形成される。斯くして、芳香剤容器２８を装備したスタンド２が組み立てられる。
【００１３】
図１、図３及び図５を参照して説明を続けると、スタンド２に装備されている、芳香剤容器２８の閉鎖手段３０を部分的に剥離或いは移動せしめて開口３２を開放せしめて、芳香剤の香りを放散せしめる際には、底壁８と上壁１０との折り曲げ部２６に形成されたスリットを通って前方に突出する把持部４０を引っ張ると、図１、図３及び図５を比較参照すれば理解されるとおり、芳香剤容器２８の袋３４に貼着せしめられた閉鎖手段３０が折り曲げられている部位から引き剥がされ袋３４に形成されている開口３２が開放せしめられ、芳香剤容器２８に収容されている芳香剤が香りを放散せしめる。一方の芳香剤容器２８に収容されている芳香剤が香りを放散せしめなくなった後においては、スタンド２に装備されている、もう一方の芳香剤容器２８の閉鎖手段３０を部分的に剥離或いは移動せしめて開口３２を開放せしめて、芳香剤の香りを放散せしめる。一対の芳香剤容器２８の各々に異なる種類の芳香剤を収容せしめれば異なった香りを楽しむ事ができる。また、スタンド２に装備されている、一方の芳香剤容器２８に収容されている芳香剤が香りを放散せしめなくなった後において、もう一方の芳香剤容器２８に収容されている芳香剤も香りを放散せしめなくなった際には、スタンド２を分解し、新たな芳香剤を収容する芳香剤容器２８を組み込むこともできる。
【００１４】
【発明の効果】
本発明によれば、芳香剤を比較的安価な容器に収容することができると共に、かかる芳香剤を収容した容器をスタンドに装備することにより、家具等と質感及び色調を合わせることを容易にすることができる。
【図面の簡単な説明】
【図１】本発明に従って構成されたスタンドの好適実施形態を示す前面斜視図。
【図２】図１に図示するスタンドの後面斜視図。
【図３】図１に図示するスタンドの側面図。
【図４】図１に図示するスタンドの分解図。
【図５】図１に図示するスタンドに装備される芳香剤を収容する芳香剤容器の拡大斜視図。
【符号の説明】
２：スタンド
４：底部
６：延出部
８：底壁
１０：上壁
１２：前壁
１４：後壁
１８：支持壁
２２ｋ：スリット
２２ｍ：スリット
２４ｅ：スリット
２４ｆ：スリット
２８：芳香剤容器
３０：閉塞手段
３２：開口
３４：袋
【図１】
2004182312.tif 000003
【図２】
2004182312.tif 000004
【図３】
2004182312.tif 000005
【図４】
2004182312.tif 000006
【図５】
2004182312.tif 000007